(57)【要約】      （修正有）【課題】簡素な構造で、複数系統の光伝送路に接続されている複数台の光伝送装置の全てが他の光伝送装置と通信可能となるように光伝送路の接続状態を切り替えることが可能な、光マトリクススイッチを提供する。【解決手段】ｎ≧２として、ｎ＋１個の１×ｎ光スイッチＳＷｍを含んで構成され、各１×ｎ光スイッチは、１系統の光伝送路Ｌｍと接続される１系統の共通ポートＰＳｍと、ｎ系統の光伝送路Ｌｉｋのそれぞれに接続されるｎ系統の分岐ポートＰｍｎと、前記共通ポートと前記ｎ系統の分岐ポートのいずれかの１系統とを選択的に接続するための光路切替機構とを備え、前記各１×ｎ光スイッチにおける前記ｎ系統の分岐ポートに接続されている光伝送路は、他のｎ個の１×ｎ光スイッチのそれぞれの系統の分岐ポートに接続されている光マトリクススイッチ１としている。【選択図】図１
2011045029.tif 000002
【特許請求の範囲】
【請求項１】
１系統ごとに少なくとも１本の光ファイバを用いた光伝送が行われ、ｎ≧２として、ｎ＋１個の１×ｎ光スイッチを含んで構成され、
各１×ｎ光スイッチは、１系統の光伝送路と接続される１系統の共通ポートと、ｎ系統の光伝送路のそれぞれに接続されるｎ系統の分岐ポートと、前記共通ポートと前記ｎ系統の分岐ポートのいずれかの１系統とを選択的に接続するための光路切替機構とを備え、
前記各１×ｎ光スイッチにおける前記ｎ系統の分岐ポートに接続されている光伝送路は、他のｎ個の１×ｎ光スイッチのそれぞれの系統の分岐ポートに接続されている
ことを特徴とする光マトリクススイッチ。
【請求項２】
請求項１において、１系統の光伝送路について遮断と接続を行う１×１光スイッチをｎ＋１個備えるとともに、前記ｎ＋１個の１×ｎ光スイッチのそれぞれの共通ポートに接続される各光伝送路の途上に前記１×１光スイッチが一つ介在していることを特徴とする光マトリクススイッチ。
【請求項３】
請求項１または２において、受信した制御信号に基づいて前記各１×ｎ光スイッチにおける前記光路切替機構を制御し、前記各共通ポートに接続されている光伝送路の内の任意の２系統を、対応する２個の１×ｎ光スイッチの前記分岐ポート間の光伝送路を経由させて接続するスイッチング制御部を備えたことを特徴とする光マトリクススイッチ。
【請求項４】
請求項３に記載の光マトリクススイッチと、前記スイッチング制御部と所定のネットワークを介して通信する外部装置とを含んで構成されて、前記各共通ポートに光伝送路を介して接続される光伝送装置の動作を検証するための光伝送装置動作検証システムであって、
前記外部装置は、表示器と、前記スイッチング制御部と所定の通信ネットワークを介して通信する通信部と、制御部と
を備えることを特徴とする光伝送装置動作検証システム。
【請求項５】
請求項４において、前記制御部は、
前記共通ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、
前記選択処理で選択された前記二つの装置オブジェクトに対応する２系統の共通ポート間を光路で接続させるための制御信号を、前記通信部を介して前記光マトリクススイッチに送信する送信処理と、
前記２系統の共通ポート間を光路で接続させたときの前記光マトリクススイッチ内の経路を示す経路画像を前記表示器に表示する経路表示処理と
を実行することを特徴とする光伝送装置動作検証システム。
【請求項６】
請求項４において、前記制御部は、
前記共通ポートに光伝送路を介して接続された光伝送装置に対応する装置オブジェクトを前記表示器に複数表示するとともに、複数の前記装置オブジェクトのうちの二つの装置オブジェクトに対応する２系統の共通ポート間を光路で接続させたときの前記光マトリクススイッチ内の経路を示す経路画像を前記表示器に表示する経路表示処理と、
前記経路画像において、前記二つの装置オブジェクトに対応する２系統の共通ポート間の接続が解除されたことを前記表示器に表示する解除処理と、
前記解除処理で接続が解除された前記二つの装置オブジェクトに対応する２系統の共通ポート間の接続を解除するための制御信号を、前記通信部を介して前記光マトリクススイッチに送信する送信処理と
を実行することを特徴とする光伝送装置動作検証システム。
【発明の詳細な説明】
【技術分野】
【０００１】
この発明は光通信に用いる光伝送路の接続経路を組み替えるための光マトリクススイッチに関する。また、当該光マトリクススイッチを含んで構成される光伝送装置動作検証システムにも関する。
【背景技術】
【０００２】
光ファイバからなる光伝送路を介して通信する装置（以下、光伝送装置）には、メディアコンバータと呼ばれる光回線終端装置（ＯＬＵ：Optical Line Terminal）や、そのメディアコンバータを内蔵したルータなどがある。そして、複数の光伝送装置から互いに通信し合う２台の光伝送装置を指定し、各光伝送路に接続されている光伝送路の経路を自在に切り替えるためのスイッチが光マトリクススイッチである。
【０００３】
光マトリクススイッチの用途としては、例えば、光伝送装置を実際に商用ネットワーク上に設置する前の製品出荷段階において、光伝送路を介して正しくデータ通信が行われるかどうかを試験する動作検証などがある。この光伝送装置の動作検証は、一つの光伝送路の両端にそれぞれ光伝送装置を接続し、双方の光伝送装置が出力する通信状態を示す情報を確認するなどして、正しく動作しているか否かを判断することで行われ、多数の光伝送装置に対して動作検証を行う場合には、通信し合う光伝送装置の組み合わせを自由に設定できるように、光伝送路の経路をつなぎ替える光マトリクススイッチが利用される。なお、以下の非特許文献１には、その光マトリクススイッチの構成について記載されている。
【先行技術文献】
【非特許文献】
【０００４】
【非特許文献１】行松  健一  著、「光スイッチング技術入門」、株式会社オーム社、平成５年１０月２５日発行、Ｐ３２
【発明の概要】
【発明が解決しようとする課題】
【０００５】
上記非特許文献１に示したような従来の光マトリクススイッチは、互いに通信する光伝送装置の組み合わせを完全に自由に設定できるものではない。具体的に、図１５に示した従来の光マトリクススイッチＭＸに基づいて説明すると、従来の光マトリクススイッチＭＸでは、かならず、複数の光伝送装置（Ａ１〜Ａ４，Ｂ１〜Ｂ４）を一組（ＧｒＡ，ＧｒＢ）とし、一方の組ＧｒＡに属する光伝送装置（Ａ１〜Ａ４）のそれぞれは、他方の組ＧｒＢの光伝送装置（Ｂ１〜Ｂ４）のいずれかに１対１の関係で接続することができる。図示した例では、光伝送装置（Ａ１〜Ａ４）は、個別に、かつ並行して光伝送装置（Ｂ１〜Ｂ４）のいずれかと１対１で接続して通信することができるが、一方の光伝送装置の組ＧｒＡに属する光伝送装置Ａｘ（ｘ＝１〜４）は同じ組ＧｒＡに属する他の光伝送装置Ａｙ（ｘ≠ｙ）と通信することができない。
【０００６】
したがって、例えば、従来の光マトリクススイッチを使って光伝送装置の動作検証を行う場合では、全ての光伝送装置の組み合わせに対し、その一部の組み合わせでのみ動作検証を行うことになる。確かに、多種多様な光スイッチを多数用いた極めて複雑な光路接続構造を有する光マトリクススイッチであれば、全ての光伝送装置の組み合わせが可能となるかもしれないが、その光マトリクススイッチは極めて高価なものとなる。また、構成を複雑にすると、当然、故障しやすい構造となる。複雑な光路接続構成を採用すれば、光伝送装置間に多数の光スイッチが介在することになり、光伝送路中の光信号の損失や減衰も問題となってくる。
【０００７】
そこで本発明は、簡素な構造で、上述したような従来の光マトリクススイッチにおける光伝送装置の組み合わせの限界を無くし、複数系統の光伝送路のそれぞれに接続されている複数台の光伝送装置の全てが他の光伝送装置と通信可能となるように光伝送路の接続状態を切り替えることが可能な、言わば「完全な」光マトリクススイッチを提供することを目的としている。
【課題を解決するための手段】
【０００８】
上記目的を達成するための主たる発明は、
１系統ごとに少なくとも１本の光ファイバを用いた光伝送が行われ、ｎ≧２として、ｎ＋１個の１×ｎ光スイッチを含んで構成され、
各１×ｎ光スイッチは、１系統の光伝送路と接続される１系統の共通ポートと、ｎ系統の光伝送路のそれぞれに接続されるｎ系統の分岐ポートと、前記共通ポートと前記ｎ系統の分岐ポートのいずれかの１系統とを選択的に接続するための光路切替機構とを備え、
前記各１×ｎ光スイッチにおける前記ｎ系統の分岐ポートに接続されている光伝送路は、他のｎ個の１×ｎ光スイッチのそれぞれの系統の分岐ポートに接続されている
ことを特徴とする光マトリクススイッチである。  
なお、主たる発明以外の発明の特徴については、以下の記載で明らかにする。
【発明の効果】
【０００９】
本発明の光マトリクススイッチによれば、簡素な構成としつつ、従来の光マトリクススイッチにおける通信可能な光伝送装置の組み合わせの限界を無くし、複数系統の光伝送路に接続されている複数台の光伝送装置の全てが他の光伝送装置と通信可能となるように光伝送路の接続状態を切り替えることができる。
【図面の簡単な説明】
【００１０】
【図１】本発明の第１の実施例に係る光マトリクススイッチの構成図である。
【図２】上記第１の実施例の光マトリクススイッチを構成する８個の１×７光スイッチの分岐ポート間の接続関係を示す図である。
【図３】本発明の第２の実施例に係る光マトリクススイッチの構成図である。
【図４】本発明の第３の実施例に係る光伝送装置動作検証システムの構成図である。
【図５】上記光伝送装置動作検証システムの制御用ソフトウエアが処理するテーブルの構成図である。
【図６】上記ソフトウエアを実行するパーソナルコンピュータがディスプレイに表示する操作画面の一例を示す図である。
【図７】上記操作画面に表示されている装置オブジェクトを二つ一組にして装置間結線画像で連絡させる手順を示す図である。
【図８】上記操作画面において、全ての装置オブジェクトが二つ一組で装置間結線画像によって連絡されている状態を示す図である。
【図９】上記操作画面において、装置間結線画像で連絡されている装置オブジェクトの移動手順を示す図である。
【図１０】上記操作画面において、装置間結線画像の消去手順を示す図である。
【図１１】上記パーソナルコンピュータのディスプレイに接続構成画面を表示させる手順を示す図である。
【図１２】本発明の第５の実施例に係る遮断接続型光マトリクススイッチの構成図である。
【図１３】上記第５の実施例の変形例を示す図である。
【図１４】上記第５の実施例の遮断接続型光マトリクススイッチを含んで構成される光伝送装置動作検証システムの一例を示す図である。
【図１５】従来の光マトリクススイッチの動作を説明するための図である。
【発明を実施するための形態】
【００１１】
＝＝＝本発明の実施形態＝＝＝
本明細書では、上記主たる発明に対応する実施形態の他に、以下の実施形態についても言及する。
【００１２】
１系統の光伝送路について遮断と接続を行う１×１光スイッチをｎ＋１個備えるとともに、前記ｎ＋１個の１×ｎ光スイッチのそれぞれの共通ポートに接続される各光伝送路の途上に前記１×１光スイッチが一つ介在している光マトリクススイッチ。
【００１３】
受信した制御信号に基づいて前記各１×ｎ光スイッチにおける前記光路切替機構を制御し、前記各共通ポートに接続されている光伝送路の内の任意の２系統を、対応する２個の１×ｎ光スイッチの前記分岐ポート間の光伝送路を経由させて接続するスイッチング制御部を備えた光マトリクススイッチ。
【００１４】
この光マトリクススイッチと、前記スイッチング制御部と所定のネットワークを介して通信する外部装置とを含んで構成されて、前記各共通ポートに光伝送路を介して接続される光伝送装置の動作を検証するための光伝送装置動作検証システムであって、
前記外部装置は、表示器と、前記スイッチング制御部と所定の通信ネットワークを介して通信する通信部と、制御部とを備えることを特徴とする光伝送装置動作検証システム。
【００１５】
前記制御部は、前記共通ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、前記選択処理で選択された前記二つの装置オブジェクトに対応する２系統の共通ポート間を光路で接続させるための制御信号を、前記通信部を介して前記光マトリクススイッチに送信する送信処理と、前記２系統の共通ポート間を光路で接続させたときの前記光マトリクススイッチ内の経路を示す経路画像を前記表示器に表示する経路表示処理とを実行する光伝送装置動作検証システム。
【００１６】
前記制御部は、前記共通ポートに光伝送路を介して接続された光伝送装置に対応する装置オブジェクトを前記表示器に複数表示するとともに、複数の前記装置オブジェクトのうちの二つの装置オブジェクトに対応する２系統の共通ポート間を光路で接続させたときの前記光マトリクススイッチ内の経路を示す経路画像を前記表示器に表示する経路表示処理と、前記経路画像において、前記二つの装置オブジェクトに対応する２系統の共通ポート間の接続が解除されたことを前記表示器に表示する解除処理と、前記解除処理で接続が解除された前記二つの装置オブジェクトに対応する２系統の共通ポート間の接続を解除するための制御信号を、前記通信部を介して前記光マトリクススイッチに送信する送信処理とを実行することを特徴とする光伝送装置動作検証システム。
【００１７】
なお、上記各実施形態については、以下に、より具体的な例（実施例）を挙げて、その構成や動作などについて説明する。そして、各実施形態における目的、作用、効果なども明らかにする。
【００１８】
＝＝＝光マトリクススイッチの基本構成（第１の実施例）＝＝＝
本発明の第１の実施例は、上記主たる発明の実施形態に係る光マトリクススイッチに対応している。そして、当該第１の実施例の光マトリクススイッチが、後述する第２、第３の実施例における基本構成となっている。
【００１９】
図１に第１の実施例に係る光マトリクススイッチ１の構成を示した。光マトリクススイッチ１の主体は、複数の光スイッチＳＷｍ（ｍ＝１〜８）であり、各光スイッチＳＷｍは、１系統の光伝送路Ｌｍを複数の光伝送路Ｌｉｋ（ｉ＝１〜７，ｋ＝１〜８，ｉ＜ｋ，ｉ≠ｋ）のいずれかに光路で接続するための多肢選択型の光スイッチである。第１の実施例では、１系統の光伝送路Ｌｍを７系統の光伝送路Ｌｉｋのいずれかに接続するための１×７光スイッチＳＷｍであり、この１×７光スイッチＳＷｍを８個備えている。
【００２０】
各１×７光スイッチＳＷｍにおいて、１系統の光伝送路Ｌｍが接続される側（共通側）のポートＰＳｍには、例えば、光伝送装置からの光伝送路が接続される。７系統の光伝送路Ｌｉｋが接続される側（分岐側）の七つのポートＰｍｎ（ｎ＝１〜７）は、それぞれ、接続相手となる他の１×７光スイッチＳＷｍの７系統側の七つのポートＰｍｎと光伝送路Ｌｉｋを介して１対１の関係で接続されている。
【００２１】
ここで、図１における各１×７光スイッチＳＷｍのｍを１×７光スイッチＳＷｍに割り当てられた番号とするとともに、７つの分岐ポートＰｍｎのｎを分岐ポートＰｍｎに割り当てられた番号とし、以下では、これらの番号（ｍ，ｎ）を使って光伝送路（Ｌｍ，Ｌｉｋ）の接続関係などを記述することとする。
【００２２】
図２に、第１の実施例の光マトリクススイッチ１における各１×７光スイッチの分岐ポート同士の接続関係を上記ｎとｍを用いて示した。例えば、図中に点線枠内で示したように、「２」番目の１×７光スイッチＳＷ２の「３」番目の分岐ポートＰ２３は、「４」番目の１×７光スイッチＳＷ４の「２」番目の分岐ポートＰ４２と光伝送路Ｌ２４で接続されている。
【００２３】
このように、ある１×７光スイッチＳＷｍの共通ポートＰＳｍをある分岐ポートＰｍｎに接続した際、図２の接続関係に従って、この分岐ポートＰｍｎに光伝送路Ｌｉｋを介して接続されている他のいずれかの１×７光スイッチの分岐ポートＰｍｎと、その１×７光スイッチＳＷｍの共通ポートＰＳｍとを接続すれば、８系統の光伝送路Ｌｍの任意の二系統が分岐ポートＰｍｎ間の光伝送路Ｌｉｋを経由して接続される。すなわち、共通ポートＰＳｍに光伝送路Ｌｍを介して接続される８台の光伝送装置を自由に１対１に組み合わせて、通信可能とすることができる。もちろん、分岐ポートＰｍｎ同士が１対１で接続されていれば、互いに接続される分岐ポートＰｍｎの対応関係は、図２に示した対応関係に限るものではない。
【００２４】
このように、第１の実施例の光マトリクススイッチ１では、実質的に、安価で構成が単純な多肢選択型（本実施例では、１×７）光スイッチＳＷｍを、接続したい光伝送装置の数ｍ（本実施例では、ｍ＝８）だけ用意すればよい。そして、１×７光スイッチＳＷｍの分岐ポートＰｍｎ同士の接続構造に特徴を有して、この光マトリクススイッチ１に接続されている全ての光伝送装置は、互いに通信相手として光伝送路で接続することが可能となる。したがって、第１の実施例の光マトリクススイッチ１は、安価で、簡素な構成によって故障しにくい「完全な」光マトリクススイッチ１となっている。
【００２５】
さらに、上記光マトリクススイッチ１では、互いに通信相手となる２台の光伝送装置は、どのような組み合わせであっても一律に２個の１×７スイッチを通過することになる。すなわち、全ての組み合わせにおいて、２台の光伝送装置間での光信号の損失を均一にすることができる。そこで、上記光マトリクススイッチ１用いて光伝送装置の動作検証を行えば、光伝送装置の組み合わせ毎に異なる光信号の損失誤差を考慮する必要がほとんどなく、極めて信頼性の高い動作検証方法を提供することができる。
【００２６】
なお、図１では、各共通ポートＰＳｍに接続される光伝送路Ｌｍを１本の線で示しているが、周知のごとく、１系統の光伝送路は、送信線（Ｔｘ）と受信線（Ｒｘ）のそれぞれに対応する２本の光ファイバで構成されている場合がある。したがって、各光伝送路（Ｌｍ，Ｌｉｋ）が２本の光ファイバで構成されている場合では、各１×７光スイッチＳＷｍの共通ポートＰＳｍに２本の光ファイバが接続され、分岐ポートＰｍｎに２本一組の光ファイバが七組接続されることになる。そして、接続可能な光ファイバの本数で表現すれば、第１の実施例における１×７光スイッチＳＷｍは、正確には、２×１４光スイッチとなる。
【００２７】
ところで、複数の光ファイバで１系統の光伝送路を構成する場合、分岐ポートＰｍｎは複数の物理的なポートで構成されることになる。例えば、Ｔｘ用とＲｘ用の２本の光ファイバで１系統の光伝送路を構成する場合、分岐ポートＰｍｎは、１系統ごとに二つの物理的ポートを備えることになる。このような場合、分岐ポートＰｍｎにおける物理的ポートの配置は同じなので、位置が同じ物理的ポート同士を光ファイバで接続すると、通信し合う２台の光伝送装置に接続されているＴｘ用とＲｘ用のポートの配置関係が反対になり通信することができなくなる。そのため、一方の分岐ポートＰｍｎにおける二つの物理的ポートと２本の光ファイバとの位置関係と、他方の分岐ポートＰｍｎにおける二つの物理的ポートと２本の光ファイバとの位置関係とを逆にする必要がある。いわゆる「クロスケーブル」を用いる必要がある。
【００２８】
なお、以下では、図中での煩雑さを解消し、説明を容易にするために、１系統の光伝送路に含まれる光ファイバの本数にかかわらず、ポートの数などは、１系統の光伝送路を１単位として数えることとし、多肢選択型光スイッチは、断り書きがない限りは、１×ｎ光スイッチ（本実施例ではｎ＝７）と記載することとする。
【００２９】
＝＝＝第２の実施例＝＝＝
本発明の光マトリクススイッチは、第１の実施例の光マトリクススイッチ１のように、多肢選択型の光スイッチＳＷｍを主体に構成されて、分岐ポートＰｍｎ同士を１対１で接続する点に大きな特徴を有している。
【００３０】
ところで、上記１×７光スイッチＳＷｍは、実際には、その内部において、共通ポートＰＳｍからの信号光を分岐ポートＰｍｎに接続されている光伝送路Ｌｉｋのいずれかに導くための機構（光路切替機構）を備えており、当該光路切替機構は、例えば、内部の光ファイバやプリズムなどをアクチュエータを用いて機械的に移動させて共通ポートＰＳｍと分岐ポートＰｍｎのいずれかとを内部で光路接続するための構造と、分岐ポートＰｍｎの指定情報が含まれて入れる所定規格の電気信号（以下、切替信号）を受け付けるためのインタフェースと、受信した切替信号中の指定情報に従って共通ポートＰＳｍを分岐ポートＰｍｎの一つに光路接続するようにアクチュエータなどを駆動するための制御回路とを含んで構成される。そして、各１×７光スイッチＳＷｍは、ＲＳ４８５規格に準拠したインタフェースを備え、切替信号の入力端として、物理的インタフェースとして当該ＲＳ４８５規格に準拠したコネクタを備えている。
【００３１】
つぎに、上記第１の実施例にて示した光マトリクススイッチ１に、上記光路切替機構を制御するための構成を加えた光マトリクススイッチを本発明の第２の実施例として挙げる。図３に、第２の実施例に係る光マトリクススイッチ２の機能ブロック構成を例示した。この光マトリクススイッチ２は、一体的な筐体１０内に上記第１の実施例の光マトリクススイッチ１を内蔵し、筐体１０の表面には１００ＢＡＳＥ−ＴＸなど、所定規格のＬＡＮポート４１と、８系統の光伝送路Ｌｍに対応する８個の光アダプタ（３１，３２，…，３８：以下、符号３ｍ）が配設されている。８個の光アダプタ３ｍは、筐体１０内にて８個の１×７光スイッチＳＷｍのそれぞれの共通ポートＰＳｍからの光伝送路Ｌｍの他端と接続している。したがって、ある１系統の光伝送路の一端に光伝送装置を接続し、他端を光アダプタ３ｍに接続すると、共通ポートＰＳｍに接続されている光伝送路Ｌｍがその光アダプタ３ｍを経由して延長し、共通ポートＰＳｍと光伝送装置とが１系統の光伝送路Ｌｍで接続された状態となる。したがって、以下では、一つの光アダプタ３ｍを介して延長される光伝送路Ｌｍは１系統の光伝送路として同じ符号「Ｌｍ」で示すこととする。
【００３２】
さらに筐体１０内には、ＬＡＮポート４１を介して受信した制御信号を１×７光スイッチＳＷｍを制御するための上記切替信号に変換するためのスイッチング制御部４０が内蔵されている。スイッチング制御部４０は、例えば、ＣＰＵとメモリを備えたマイクロコンピュータなどで構成することができる。そして、Ethernet（登録商標）規格に準拠したプロトコルに基づいてパーソナルコンピュータ（ＰＣ）などの外部の情報処理装置からＬＡＮを介して送信されてくる制御信号を受信する。制御信号には、１×７光スイッチＳＷｍの指定情報と、指定した１×７光スイッチＳＷｍにおける分岐ポートＰｍｎの指定情報などが含まれている。スイッチング制御部４０は、Ｐｍｎの指定情報と実際に信号線４２に接続されている１×７光スイッチとの対応関係を内部のメモリなどに記憶し、受信した制御信号に基づいて、指定の分岐ポートＰｍｎの番号などを含んだ切替信号を、指定の１×７光スイッチに送信する。それによって、指定の１×７光スイッチＳＷｍの内部において、共通ポートＰＳｍと指定の分岐ポートＰｍｎとが光路接続される。
【００３３】
以上の構成を備えた第２の実施例に係る光マトリクススイッチ２では、外部の情報処理装置からの制御信号に従って、各１×７光スイッチＳＷｍの共通ポートＰＳｍに光伝送路Ｌｍを介して接続される光伝送装置から、任意の２台を通信相手として設定することができる。それによって、各１×７光スイッチＳＷｍにおける共通ポートＰＳｍと分岐ポートＰｍｎとの内部接続関係や、２個の１×７光スイッチＳＷｍ間の分岐ポートＰｍｎを経由した接続関係を自在に設定することができ、例えば、互いに通信し合う２台一組の光伝送装置を同時に複数組設定し、各組み合わせにおいて光伝送装置間で通信が可能であるか否かを並行して確認するための光伝送装置の動作検証システムに発展させることができる。
【００３４】
＝＝＝光伝送装置動作検証システム（第３の実施例）＝＝＝
第２の実施例の光マトリクススイッチ２は、自身に接続される複数台の光伝送装置の任意の２台が通信可能となるように、光信号の伝送経路（Ｌｍ１−Ｌｉｋ−Ｌｍ２：ｍ１＝１〜８，ｍ２＝１〜８，ｍ１≠ｍ２）を外部からの制御信号に従って切り替える動作を行う。次に、上記第２の実施例にける光マトリクススイッチ２を含んで構成される光伝送装置の動作検証システム（以下、動作検証システム）を本発明の第３の実施例として挙げ、光マトリクススイッチ２における光伝送路の切り替え動作について具体的に説明する。
【００３５】
図４に、本発明の第３の実施例である動作検証システム３の構成図を示した。第３の実施例では、第２の実施例における光マトリクススイッチ２を含み、当該光マトリクススイッチ２における各１×７光スイッチＳＷｍに対応して、各共通ポートＰｍに光アダプタ３ｍを経由して１台の光伝送装置Ｒｍを接続するものとする。また、スイッチング制御部４０は、ＬＡＮポート４１を介して敷設済みのEthernet(登録商標)規格のＬＡＮ５０に接続されており、ＬＡＮ５０上には、外部の情報処理装置として一般的なパーソナルコンピュータ（ＰＣ）６０が接続されている。
【００３６】
ＰＣ６０には、光マトリクススイッチ２における各１×７光スイッチＳＷｍを個別に制御するためのソフトウエアがインストールされており、ＰＣ６０は、そのソフトウエアを実行することで、利用者入力に従って互いに通信する２台の光伝送装置（Ｒｍ１，Ｒｍ２）の組を指定し、その指定に基づいて１×７光スイッチＳＷｍの分岐ポートＰｍｎ間の接続状態を決定し、当該決定した接続状態を実現するための制御信号を生成してＬＡＮ５０上に送出する動作を行う。
【００３７】
なお、光マトリクススイッチ２には、８台までの光伝送装置Ｒｍが接続可能であるが、すべての共通ポートＰＳｍに必ず光伝送装置Ｒｍを接続する必要はない。第１および第２の実施例における光マトリクススイッチ（１，２）では、２台以上の光伝送装置Ｒｍが、いずれかの１×７光スイッチＳＷｍの共通ポートＰＳｍと光アダプタ３ｍを介して延長する光伝送経路Ｌｍに接続されていれば、その全ての光伝送装置Ｒｍの任意の２台を互いに通信相手として設定できる。
【００３８】
例えば、図４における２台の光伝送装置Ｒ１とＲ２とを通信相手同士に設定するためには、利用者がＰＣ６０を操作し、光伝送装置Ｒ１とＲ２との接続を指示する。ＰＣ６０は、この指示に従って光伝送装置Ｒ１とＲ２が通信相手同士となるための条件を決定する。すなわち、光伝送装置Ｒ１が接続されている１番目の１×７光スイッチＳＷ１と光伝送装置Ｒ２が接続されている２番目の１×７光スイッチＳＷ２の分岐ポート間（Ｐ１１，Ｐ２１）の光伝送路Ｌ１２を経由して１系統の光伝送路に相当する経路（Ｌ１−Ｌ１２−Ｌ２）が形成される条件を決定する。具体的には、制御対象となる１×７光スイッチＳＷｍとして、１番目と２番目の１×７光スイッチ（ＳＷ１，ＳＷ２）を特定する。つぎに、１番目の１×７光スイッチＳＷ１については、１番目の分岐ポートＰ１１を対応付け、２番目の１×７光スイッチＳＷ２についても１番目の分岐ポートＰ２１を対応づける。そして、特定した１番目と２番目の１×７光スイッチ（ＳＷ１，ＳＷ２）の各指定情報と、１番目と２番目の１×７光スイッチ（ＳＷ１，ＳＷ２）に対応付けした分岐ポート（Ｐ１１，Ｐ１２）の番号とを含む制御信号を生成し、この制御信号を光マトリクススイッチ２に宛ててＬＡＮ５０上に送出する。
【００３９】
光マトリクススイッチ２のスイッチング制御部４０は、ＬＡＮポート４１を介してこの制御信号を受信すると、当該制御信号中の１×７光スイッチＳＷｍの指定情報と指定の１×７光スイッチＳＷｍに対応付けされている分岐ポートの番号Ｐｍｎとを抽出し、指定の１×７光スイッチＳＷｍ、すなわち１番目と２番目の１×７光スイッチ（ＳＷ１，ＳＷ２）のそれぞれに対し、対応する分岐ポートの番号である「１」と「１」を情報として含む切替信号を送信する。
【００４０】
１番目と２番目の１×７光スイッチ（ＳＷ１，ＳＷ２）は、受信した切替信号中の分岐ポートの番号「１」に従って光路切替機構を作動させ、共通ポート（ＰＳ１，ＰＳ２）と、指定された番号に対応する分岐ポート（Ｐ１１，Ｐ２１）とを接続する。それによって、１番目と２番目の光伝送装置（Ｒ１，Ｒ２）に接続される光伝送路（Ｌ１，Ｌ２）が、それぞれに対応する１×７光スイッチ（ＳＷ１，ＳＷ２）の共通ポート（ＰＳ１，ＰＳ２）と分岐ポート（Ｐ１１，Ｐ２１）を経由して接続されて、１番目と２番目の光伝送装置（Ｒ１，Ｒ２）が通信可能となる。同様にして、他の１×７光スイッチＳＷｍの共通ポートＰＳｍに接続されている光伝送路Ｌｍについても、分岐ポートＰｍｎを経由させて１対１で接続すれば、その光伝送路Ｌｍの末端に接続されている光伝送装置（Ｒｍ１，Ｒｍ２）が通信可能となる。
【００４１】
なお、２台一組の光伝送装置（Ｒｍ１，Ｒｍ２）が正常に通信しているかどうかを確認するためには、例えば、光伝送装置Ｒｍ自体が備える動作ランプの点灯状態などを視認するなどして行えばよい。あるいは、各光伝送装置ＲｍもＰＣ６０と通信可能にＬＡＮ５０に接続し、各光伝送装置Ｒｍが通信中に出力する情報をＰＣ６０が取得し、その取得した情報が、本来出力されるべき情報に一致しているか否かなどに基づいて光伝送装置の動作を検証すればよい。
【００４２】
＝＝＝情報処理装置（第４の実施例）＝＝＝
上述したように第３の実施例に係る動作検証システム３を構成する外部の情報処理装置（ＰＣ）６０には、光マトリクススイッチ２を制御するためのソフトウエア（制御ソフト）がインストールされている。しかし、上記各実施例の光マトリクススイッチ（１，２）は、従来の光マトリクススイッチ（図１５，ＭＸ）と異なり、各１×７光スイッチＳＷｍの共通ポートＰＳｍに接続されているすべての光伝送装置Ｒｍが互いに通信相手となり得る。そのため、互いに通信しあう２台の光伝送装置（Ｒｍ１，Ｒｍ２）を設定したり、その設定において、どの１×７光スイッチＳＷｍが、どの分岐ポートＰｍｎを経由して接続されているのかを確認したりすることが難しい。そこで、ＰＣ６０は、上記制御ソフトを実行することで、互いに通信し合う２台の光伝送装置の組（Ｒｍ１，Ｒｍ２）を容易に設定し、１×７光スイッチＳＷｍ同士の接続状態が一瞥して分かる優れたユーザインタフェース環境を利用者に提供している。
【００４３】
以下に、上記ユーザインタフェースを本発明の第４の実施例として説明する。ＰＣ６０は、上記制御ソフトを実行することで、マウスを用いたドラッグ・アンド・ドロップ、およびクリック動作を主体とした指示や選択入力を受け付けるＧＵＩ環境を提供し、利用者は直感的に当該制御ソフトを操作できるようになっている。なお、基本的な操作の手順としては、互いに通信し合う２台一組の光伝送装置（Ｒｍ１，Ｒｍ２）を指定する手順と、指定した光伝送装置（Ｒｍ１，Ｒｍ２）間の光伝送経路（Ｌｍ１−Ｌｉｋ−Ｌｍ２）の中間経路（Ｌｉｋ）を確認する手順とからなる。以下に、その操作手順の具体例を示す。
【００４４】
まず、互いに通信相手となる光伝送装置（Ｒｍ１，Ｒｍ２）の組を指定する操作の前に、制御対象となる光マトリクススイッチ２のＩＰアドレスや、各１×７光スイッチＳＷｍの分岐ポートＰｍｎ間の接続関係を記憶させておく。第４の実施例では、当該接続関係を記述する情報として、図５に示したテーブルをＰＣ６０の外部記憶などに記憶させておく。このテーブルには、通信し合う２台の光伝送装置（Ｒｍ１，Ｒｍ２）を指定すると、対応する二つの共通ポート（ＰＳｍ１，ＰＳｍ２）の組み合わせを決定するための情報が記述されており、その共通ポート（ＰＳｍ１，ＰＳｍ２）の組み合わせに対応する分岐ポート（Ｐｍ１ｎ，Ｐｍ２ｎ）同士の接続関係が分岐ポートＰｍｎの番号ｎによって記述されている。すなわち、テーブルにおける二つの共通ポートａとｂを組み合わせると、それら二つの共通ポートａとｂに対応する２個の１×７光スイッチＳＷｍにおいて、共通ポートＰＳｍに接続すべき分岐ポートＰｍｎの番号ｎが決定する。
【００４５】
例えば、図５において、点線の枠で示したように、一方の共通ポートａとして２番目の１×７光スイッチＳＷ２の共通ポートＰＳ２を選択し、他方の共通ポートｂとして６番目の１×７光スイッチＳＷ６の共通ポートＰＳ６を選択すると、１番目の共通ポートａに該当する１×７光スイッチＳＷ２の番号ｍは「２」であり、その１×７光スイッチＳＷ２の共通ポートＰＳ２の内部接続先となる分岐ポートＰ２ｎの番号ｎは、「５」となる。この例では、ｍ／ｎで表記し、「２／５」となっている。共通ポートｂについても同様にして、「６」番目の１×７光スイッチＳＷ６と、そのスイッチＳＷ６の共通ポートＰＳ６と内部接続される分岐ポートＰ６ｎの番号「２」が決定する。図中では、「６／２」と表記されている。
【００４６】
ＰＣ６０にて制御ソフトが実行されると、ディスプレイに当該制御ソフトの操作画面が表示される。図６〜図１１に上記制御ソフトの実行中にＰＣ６０のディスプレイに表示される画面の遷移状態を示した。図６に示したように、操作画面１００には、各種操作を指定するためのラジオボタン（１２１〜１２４）、２個の１×７光スイッチ（ＳＷｍ１，ＳＷｍ２）のそれぞれの分岐ポート（Ｐｍ１ｎ，Ｐｍ２ｎ）の接続状態を確認させたり、実際の光マトリクススイッチ２にその接続関係を実現させるための制御信号を送信させたりする構成切替ボタン１４０、光伝送装置Ｒｍに対応するオブジェクト（装置オブジェクト：１１１〜１１８）などが配設されている。
【００４７】
また、操作画面１００には、各１×７光スイッチＳＷｍの共通ポートＰＳｍが「port ｍ（ｍ＝１〜８）」と表記され（符号１３１）、各共通ポートＰＳｍに接続される光伝送装置Ｒｍの名前を入力するためのテキストボックス１３２も含まれている。ＰＣ６０は、各装置オブジェクト（１１１〜１１８）と各１×７光スイッチＳＷｍの共通ポートＰＳｍとの対応付けを記憶し、上記各１×７光スイッチＳＷｍの共通ポートＰＳｍを示す「port ｍ」１３１に対応するテキストボックス１３２に光伝送装置Ｒｍの名前が入力されると、該当する装置オブジェクト（１１１〜１１８）にその名前を表示する。
【００４８】
なお、操作画面１００上に表示された装置オブジェクト（１１１〜１１８）は、当該画面１００上の任意の位置に配置することができる。この例では、「配置換え」のラジオボタン１２１をチェックした上で、マウスによるドラッグ・アンド・ドロップ操作により各装置オブジェクト（１１１〜１１８）を操作画面１００上の任意の位置に配置することができる（図６、１１８→１１８ｂ）。
【００４９】
次に、互いに通信相手となる２台の光伝送装置（Ｒｍ１，Ｒｍ２）の組を指定する操作を行う。図７に当該指定操作に伴う画面遷移を示した。図７（Ａ）に示すように、「接続」のラジオボタン１２２をチェックした上で、互いに通信させる上記光伝送装置（Ｒｍ１，Ｒｍ２）の１台目の光伝送装置Ｒｍ１に対応する装置オブジェクト１１４にマウスカーソルＭを合わせ、クリック操作によりこの装置オブジェクト１１４を指示して、当該装置オブジェクト１１４を選択状態にする。装置オブジェクト１１４は、選択状態になると他の装置オブジェクト（１１１〜１１３，１１５〜１１８）と区別できるように変色する。さらに、図７（Ｂ）に示すように、通信相手となる２台目の光伝送装置Ｒｍ２に対応する装置オブジェクト１１７を指示すると、先に選択して変色していた装置オブジェクト１１４が当初の色に変わるとともに、連続して選択した二つの装置オブジェクト（１１４，１１７）が直線（装置間結線画像）１５０によって連絡される。このようにして、他の光伝送装置（Ｒｍ）についても二つの装置オブジェクト（１１１〜１１８）間を装置間結線画像１５０で連絡させて通信相手同士となる組を指定する。図８に、すべての装置オブジェクト（１１１〜１１８）が二つ一組で装置間結線画像１５０によって連絡されている状態を示した。
【００５０】
ところで、図８に示したように、複数組の装置オブジェクト（１１１〜１１８）の連絡状態によっては、装置間結線画像１５０が交差し、連絡し合う二つの装置オブジェクト（１１１〜１１８）を識別しにくくなる。このような場合には、図９に示したように、先の「配置換え」のラジオボタン１２１をチェックした上で、任意の装置オブジェクトを移動させる。ＰＣ６０は、この移動操作を受け付けると、装置間結線画像１５０の連絡状態を維持しつつ装置オブジェクト（１１１〜１１８）を再配置する（１１３ｂ→１１３，１１５ｂ→１１５，１１８ｂ→１１８）。それによって、利用者は、装置オブジェクト（１１１〜１１８）間の連絡状態を容易に確認することができる。なお、一度表示させた装置間結線画像１５０については、図１０（Ａ）に示すように、「接続解除」のラジオボタン１２３をチェックした上で、図１０（Ｂ）に示すように、連絡状態にある二つの装置オブジェクト（１１３，１１５）の一方１１５（あるいは１１３）を指示すれば装置間結線画像１５０が消去される。
【００５１】
利用者は、以上のようにして、互いに通信し合う光伝送装置（Ｒｍ１，Ｒｍ２）の組を設定したならば、図１１（Ａ）に示すように、「構成切替」ボタン１４０を指示し、実際の光マトリクススイッチ２において、各光伝送装置Ｒｍに対応する１×７光スイッチＳＷｍの共通ポートＰＳｍ間が、分岐ポートＰｍｎを経由してどのように接続されるのかを確認する。
【００５２】
ＰＣ６０は、当該「構成切替」ボタン１４０への指示を受け付けると、装置間結線画像１５０により連絡状態にある装置オブジェクト（１１１〜１１８）に対応する共通ポートＰＳｍや分岐ポートＰｍｎ間の接続関係を上記テーブルに基づいて特定し、図１１（Ｂ）に示すように、その接続関係を、操作画面１００とは別の画面（接続構成画面）２００に表示する。
【００５３】
この接続構成画面２００には、この画面２００用の矩形の装置オブジェクト（２１１〜２１８）が上下方向に並んで配置され、各装置オブジェクト（２１１〜２１８）に対応する１×７光スイッチを示す矩形の画像（スイッチオブジェクト：２０１〜２０８）が装置オブジェクト（２１１〜２１８）の右側に平行するように配置されている。そして、装置オブジェクト（２１１〜２１８）の右辺とスイッチオブジェクト（２０１〜２０８）の左辺とが直線２２０によって１対１で連絡されている。この直線２２０は、共通ポートＰＳｍに接続される１系統の光伝送路Ｌｍに対応する。
【００５４】
さらに、スイッチオブジェクト（２０１〜２０８）の右辺同士が、コの字型に屈曲する線（スイッチ間結線画像：２３０）で連絡されて、上記テーブルに基づいて特定された接続関係が表現されている。なおこの例では、スイッチオブジェクト（２０１〜２０８）に接続されている前記スイッチ間結線画像２３０の末端に各１×７光スイッチＳＷｍにおいて、共通ポートＰＳｍと内部接続されている分岐ポートＰｍｎの番号２４０も表示されている。それによって、通信相手となる２台の光伝送装置（Ｒｍ１，Ｒｍ２）間の通信送路とともに、各１×７光スイッチＳＷｍにおける分岐ポートＰｍｎ同士の接続状態も確認することができるようになっている。
【００５５】
またＰＣ６０は、当該接続構成画面２００の描出処理に連動して、１×７光スイッチＳＷｍの番号ｍと分岐ポートＰｍｎの番号ｎとを対応付けした情報を含む制御信号を生成してＬＡＮ５０上に送出する。それによって、ＰＣ６０にて設定した光伝送路（Ｌｍ，Ｌｉｋ）の接続状態が実際の光マトリクススイッチ２にて実現される。
【００５６】
もちろん、操作画面１００における各装置オブジェクト（１１１〜１１８）間の接続関係を記述した情報をファイルにして保存したり、保存したファイルを読み込んで、過去に定義した接続状態を再現させることもできる。
【００５７】
また、一度実現させた光伝送装置（Ｒｍ１，Ｒｍ２）間の光伝送経路（Ｌｍ１−Ｌｉｋ−Ｌｍ２）の接続状態を解除（遮断）することもできる。具体的には、接続構成画面２００を閉じ、先に図１０（Ａ）（Ｂ）に示したように、「接続解除」のラジオボタン１２３をチェックし、連絡状態にある適当な二つの装置オブジェクト（１１ｍ１〜１ｍ２：ｍ１，ｍ２＝１〜８，ｍ１≠ｍ２）の一方を指示すれば装置間結線画像１５０が消去される。そして、その状態で、再度「接続構成」ボタン１４０を指示すれば、実際の光マトリクススイッチ１では、操作画面１００にて消去した装置間結線画像１５０に対応する光伝送経路（Ｌｍ１−Ｌｉｋ−Ｌｍ２）が遮断される。それによって、例えば、通信状態にある２台の光伝送装置（Ｒｍ１，Ｒｍ２）間の光伝送路が何らかの原因で遮断される状態を再現することができる。したがって、通信状態にあった光伝送装置（Ｒｍ１，Ｒｍ２）が光伝送路の遮断に伴って正しい挙動を示すか否かを検証することが可能となる。
【００５８】
なお、第４の実施例では、ＬＡＮ５０を介してＰＣ６０と光マトリクススイッチ２とが通信する構成であったが、ＵＳＢなどの他の規格に基づいて通信する構成であってもよい。
【００５９】
＝＝＝第５の実施例＝＝＝
互いに通信する２台の光伝送装置（Ｒｍ１，Ｒｍ２）は、単純に通信し合うだけではなく、通信経路となる光伝送経路（Ｌｍ１−Ｌｉｋ−Ｌｍ２）が何らかの原因で遮断されたり、接続が復旧したりすると、特定の情報を出力する。すなわち所定の挙動を示す。この挙動を確認することで、光伝送装置Ｒｍが正常に動作しているかどうかを確認することができる。そこで、本発明の第５の実施例として、光伝送装置Ｒｍに接続されている光伝送路Ｌｍを自在に遮断、接続できる構成を備えた光マトリクススイッチ（遮断接続型光マトリクススイッチ）を挙げる。
【００６０】
遮断接続型光マトリクススイッチは、上記各実施例の光マトリクススイッチ（１，２）と、１系統の光伝送路Ｌｍを個別に遮断、および接続を行う１×１スイッチとによって構成される。図１２にこの遮断接続型光マトリクススイッチ５を例示した。ここでは、第１の実施例における光マトリクススイッチ１に、１×１光スイッチ（ＳＷ１１，ＳＷ２２，…，ＳＷ８８：以下、ＳＷｍｍ）を加えた構成の遮断接続型光マトリクススイッチ５を示した。１×１光スイッチＳＷｍｍは、１×７光スイッチＳＷｍの共通ポートＰＳｍに接続されている光伝送路Ｌｍの途上に介在し、この光伝送路Ｌｍの末端に光伝送装置Ｒｍを接続すれば、互いに通信し合う２台一組の光伝送装置（Ｒｍ１，Ｒｍ２）間の光伝送路（Ｌｍ１，Ｌｍ２）を自在に遮断・接続できる。
【００６１】
また、１系統の光伝送路が上述したＴｘ用とＲｘ用の２本の光ファイバで構成されている場合では、１系統の光伝送路について、ＴｘとＲｘを個別に遮断接続することが考えられる。図１３に２本の光ファイバで１系統の光伝送路が構成されている場合に対応する遮断接続型光マトリクススイッチ５ｂを例示した。ここでは、上記各実施例における１×７光スイッチＳＷｍは、正確には、２×１４光スイッチＳＷｍｂであり、共通ポートＰＳｍは、ＴｘとＲｘのそれぞれに対応して物理的に二つのポート（ＰＳｍｔ，ＰＳｍｒ）で構成されている。同様に、分岐ポートＰｍｎについても、１系統毎に物理的な二つのポート（Ｐｍｎｔ，Ｐｍｎｒ）で構成されている。共通ポート（Ｐｓｍ：ＰＳｍｔ,ＰＳｍｒ）に接続されている１系統の光伝送路Ｌｍは、物理的に２本の光ファイバ（Ｌｍｔ，Ｌｍｒ）で構成されている。そして、各光ファイバ（Ｌｍｔ，Ｌｍｒ）の延長途上に個別に１×１光スイッチ（ＳＷｍｍｔ、ＳＷｍｍｒ）が介在している。
【００６２】
この遮断接続型光マトリクススイッチ５ｂにおいて、１系統の光伝送路Ｌｍ毎に２個介在する１×１光スイッチ（ＳＷｍｍｔ、ＳＷｍｍｒ）は、個別に遮断接続するように動作する。一方、２×１４光スイッチＳＷｍｂについては、共通ポートＰＳｍにおける二つの物理的ポート（ＰＳｍｔ、ＰＳｍｒ）が、７系統の分岐ポートＰｍｎのいずれかの二つの物理的ポート（Ｐｍｎｔ，Ｐｍｎｒ）に同時に内部接続する。
【００６３】
また、分岐ポートＰｍｎ間を接続する光伝送路Ｌｉｋには、上述した「クロスケーブル」を用いている。例えば、１番目の２×１４光スイッチＳＷ１ｂにおける１番目の分岐ポートＰ１１と、２番目の２×１４光スイッチＳＷ２ｂにおける１番目の分岐ポートＰ２１とを接続する場合、１番目の２×１４光スイッチＳＷ１ｂにおける１番目の分岐ポートＰ１１の二つの物理的ポートＰ１１ｔとＰ１１ｒからの２本の光ファイバＬ１２ｔとＬ１２ｒは、２番目の２×１４光スイッチＳＷ２ｂにおける１番目の分岐ポートＰ２１に至る途中で交差する。そして、２本の光ファイバＬ１２ｔとＬ１２ｒは、２番目の２×１４光スイッチＳＷ２ｂにおいて、１番目の２×１４光スイッチＳＷ１ｂにおける１番目の分岐ポートＰ１１の二つの物理的ポートＰ１１ｔとＰ１１ｒとは配置が逆となる二つの物理的ポートＰ２１ｒとＰ２１ｔのそれぞれに接続されている。
【００６４】
なお、第５の実施例における遮断接続型光マトリクススイッチ（５，５ｂ）においても、光伝送装置Ｒｍが正常に動作しているかどうかを確認するためには、光伝送装置Ｒｍ自体が備える動作ランプの点灯状態などを視認するなどして行えばよい。あるいは、第３の実施例として示した光伝送装置動作検証システム３の変形例として、図１４に示すように、上記の光伝送装置動作検証システム３に１×１光スイッチＳＷｍｍを付加した構成とする。そして、各光伝送装置ＲｍもＰＣ６０と通信可能にＬＡＮ５０に接続する。
【００６５】
このような構成では、ＰＣ６０は、１×１光スイッチＳＷｍｍも制御の対象として、ＬＡＮ５０を介してスイッチング制御部４０に制御信号を送信すればよい。この場合、スイッチング制御部４０からの信号線４２は、各１×１光スイッチＳＷｍｍにも接続され、各１×７光スイッチＳＷｍに対しては、共通ポートＰＳｍと分岐ポートＰｍｎ間の内部接続経路を切り替えるための切替信号を送信するとともに、各１×１光スイッチＳＷｍｍに対しては、光伝送路Ｌｍの遮断と接続を指示するための信号（遮断・接続信号）を送信する。なお、ＰＣ６０は、各１×１光スイッチＳＷｍｍに対して個別に遮断、あるいは接続を指示するための利用者入力を受け付け、１×１光スイッチＳＷｍｍごとの遮断、あるいは接続を指示する情報を制御信号に含めればよい。そして、互いに通信相手となる２台一組の光伝送装置（Ｒｍ１，Ｒｍ２）は、正常に動作していれば、互いに通信可能となったとき、通信中に光伝送路（Ｌｍ１，Ｌｍ２）が遮断されたとき、遮断していた光伝送路（Ｌｍ１，Ｌｍ２）が再接続されたとき、などに所定の情報をＬＡＮ５０上に送出する。ＰＣ６０は、その情報が受信できたか否か、制御信号によって設定した光伝送路の接続状態に対して予定通りの情報を出力したか否か、などを根拠に光伝送装置Ｒｍが正常に動作しているか否かを判別することができる。
【００６６】
このように、第５の実施例では、光伝送路の経路（Ｌｍ１−Ｌｉｋ−Ｌｍ２）を切り替える動作に加え、光伝送路Ｌｍを個々に遮断・接続できる光マトリクススイッチ５を構成している。それによって、互いに通信し合う２台の光伝送装置（Ｒｍ１，Ｒｍ２）の組を自由に設定し、その多種多様な光伝送装置の組み合わせ（Ｒｍ１，Ｒｍ２）の下で、光伝送路Ｌｍが遮断されたり再接続されたりした際に、各光伝送装置Ｒｍが正常に動作するか否かを確認することができる。
【産業上の利用可能性】
【００６７】
この発明は、光伝送路を介して通信する光伝送装置の動作検証を行う用途などに利用可能である。
【符号の説明】
【００６８】
１，２  光マトリクススイッチ、３  光伝送装置動作検証システム、
５，５ｂ  遮断接続型光マトリクススイッチ、１０  筐体、
３１〜３８  光アダプタ、４０  スイッチング制御部、
４１  ＬＡＮポート、４２  信号線、５０  ＬＡＮ、
６０  情報処理装置（パーソナルコンピュータ）、１００  操作画面、
１１１〜１１８，２１１〜２１８  装置オブジェクト、１５０  装置間結線画像、
２００  接続構成画面、２０１〜２０８  スイッチオブジェクト、
２３０  スイッチ間結線画像、
Ａ１〜Ａ４,Ｂ１〜Ｂ４  光伝送装置、
Ｌｉｋ（ｉ＝１〜７,ｋ＝１〜８,ｉ＜ｋ,ｉ≠ｋ）  分岐ポート間の光伝送路、
Ｌｉｋｔ，Ｌｉｋｒ，Ｌｍｔ，Ｌｍｒ  光ファイバ
Ｌｍ  共通ポートに接続される光伝送路、
ＭＸ  従来の光マトリクススイッチ、
ＰＳｍ,ＰＳｍｔ,ＰＳｍｒ  共通ポート、
Ｐｍｎ,Ｐｍｎｔ,Ｐｍｎｒ（ｎ＝１〜７）  分岐ポート、
Ｒｍ，Ｒｍ１，Ｒｍ２，Ｒｍｂ（ｍ，ｍ１，ｍ２＝１〜８）  光伝送装置、
ＳＷｍ  １×７光スイッチ、ＳＷｍｍ  １×１光スイッチ
【図１】
2011045029.tif 000003
【図２】
2011045029.tif 000004
【図３】
2011045029.tif 000005
【図４】
2011045029.tif 000006
【図５】
2011045029.tif 000007
【図６】
2011045029.tif 000008
【図７】
2011045029.tif 000009
【図８】
2011045029.tif 000010
【図９】
2011045029.tif 000011
【図１０】
2011045029.tif 000012
【図１１】
2011045029.tif 000013
【図１２】
2011045029.tif 000014
【図１３】
2011045029.tif 000015
【図１４】
2011045029.tif 000016
【図１５】
2011045029.tif 000017
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
１系統ごとに少なくとも１本の光ファイバを用いた光伝送が行われ、ｎ≧２として、ｎ＋１個の１×ｎ光スイッチを含んで構成され、
各１×ｎ光スイッチは、１系統の光伝送路と接続される１系統の共通ポートと、ｎ系統の光伝送路のそれぞれに接続されるｎ系統の分岐ポートと、前記共通ポートと前記ｎ系統の分岐ポートのいずれかの１系統とを選択的に接続するための光路切替機構とを備え、
前記各１×ｎ光スイッチにおける前記ｎ系統の分岐ポートに接続されている光伝送路は、他のｎ個の１×ｎ光スイッチのそれぞれの系統の分岐ポートに接続されている
ことを特徴とする光マトリクススイッチ。
【請求項２】
請求項１において、１系統の光伝送路について遮断と接続を行う１×１光スイッチをｎ＋１個備えるとともに、前記ｎ＋１個の１×ｎ光スイッチのそれぞれの共通ポートに接続される各光伝送路の途上に前記１×１光スイッチが一つ介在していることを特徴とする光マトリクススイッチ。
【請求項３】
請求項１または２において、受信した制御信号に基づいて前記各１×ｎ光スイッチにおける前記光路切替機構を制御し、前記各共通ポートに接続されている光伝送路の内の任意の２系統を、対応する２個の１×ｎ光スイッチの前記分岐ポート間の光伝送路を経由させて接続するスイッチング制御部を備えたことを特徴とする光マトリクススイッチ。
【請求項４】
請求項３に記載の光マトリクススイッチと、前記スイッチング制御部と所定のネットワークを介して通信する外部装置とを含んで構成されて、前記各共通ポートに光伝送路を介して接続される光伝送装置の動作を検証するための光伝送装置動作検証システムであって、
前記外部装置は、表示器と、前記スイッチング制御部と所定の通信ネットワークを介して通信する通信部と、制御部と
を備えることを特徴とする光伝送装置動作検証システム。
【請求項５】
請求項４において、前記制御部は、
ＧＵＩによる操作を受け付けるための操作画面を前記表示器に表示して、前記共通ポートに光伝送路を介して接続された光伝送装置を前記操作画面上で表現した画像である装置オブジェクトを前記表示器に複数表示するとともに、複数の前記装置オブジェクトから任意の二つの装置オブジェクトが選択されたことを前記表示器に表示する選択処理と、
前記選択処理で選択された前記二つの装置オブジェクトに対応する２系統の共通ポート間を光路で接続させるための制御信号を、前記通信部を介して前記光マトリクススイッチに送信する送信処理と、
前記２系統の共通ポート間を光路で接続させたときの前記光マトリクススイッチ内の経路を示す経路画像を前記表示器に表示する経路表示処理と
を実行することを特徴とする光伝送装置動作検証システム。
【請求項６】
請求項４において、前記制御部は、
ＧＵＩによる操作を受け付けるための操作画面を前記表示器に表示して、前記共通ポートに光伝送路を介して接続された光伝送装置を前記操作画面上で表現した画像である装置オブジェクトを前記表示器に複数表示するとともに、複数の前記装置オブジェクトのうちの二つの装置オブジェクトに対応する２系統の共通ポート間を光路で接続させたときの前記光マトリクススイッチ内の経路を示す経路画像を前記表示器に表示する経路表示処理と、
前記操作画面上において、前記二つの装置オブジェクトに対応する２系統の共通ポート間の接続が解除されたことを前記表示器に表示する解除処理と、
前記解除処理で接続が解除された前記二つの装置オブジェクトに対応する２系統の共通ポート間の接続を解除するための制御信号を、前記通信部を介して前記光マトリクススイッチに送信する送信処理と
を実行することを特徴とする光伝送装置動作検証システム。